(57)【要約】【課題】詰まりなどが生じることなく、遊技球と円板状体とを分離して排出することのできる遊技媒体分離装置を提供する。【解決手段】遊技媒体分離装置１０は、選別板１２を傾斜に沿って往復運動させる。選別板１２には、遊技球２は通すが円板状体３は通さない遊技球排出口１２ａが多数開設してある。遊技球排出口１２ａより選別板１２の下端側の位置にて選別板１２の表面との間に該選別板上１２に伏せた円板状体３は通すが遊技球２は通さない形状の通過口３３が選別部材３４により形成されている。選別板１２の上端側に遊技球２と円板状体３との混合物を導入すると、傾斜に沿って往復運動する選別板１２の上を流下する際に、遊技球２は遊技球排出口１２ａを通して、円板状体３は通過口３３を通して分離される。【選択図】図２
2011136216.tif 000002
【特許請求の範囲】
【請求項１】
遊技球は通すが所定の円板状体は通さない遊技球排出口を有する選別板と、
前記選別板を傾斜させた状態で前記傾斜に沿って往復運動させる駆動機構と、
前記遊技球排出口より前記選別板の下端側で前記選別板の表面との間に、前記選別板上に伏せた前記円板状体は通すが前記遊技球は通さない通過口を形成する選別部材と、
前記遊技球排出口の上方に、前記選別板の下端側に向かうほど前記選別板との距離が短くなるように前記選別板に対して傾斜して配置され、その下端と前記選別板の表面との距離が前記遊技球の直径よりやや長くなるように固定配置された整列板と、
を備え、
前記通過口より前記選別板の上端側で前記遊技球と前記円板状体との混合物を前記選別板上に導入し、前記傾斜に沿って往復運動する前記選別板上を前記混合物が落下する際に、前記遊技球排出口を通して遊技球を分離し、前記通過口を通して前記円板状体を分離する
ことを特徴とする遊技媒体分離装置。
【請求項２】
前記選別板の上方に該選別板の表面から前記円板状体の厚みを超えかつ該厚みと前記遊技球の直径との合計未満の距離を空けて整列シャフトを配置した
ことを特徴とする請求項１に記載の遊技媒体分離装置。
【請求項３】
前記通過口を通して分離された円板状体と、前記遊技球排出口を通して分離された遊技球との再混合を防止する仕切板を設けた
ことを特徴とする請求項１または２に記載の遊技媒体分離装置。
【発明の詳細な説明】
【技術分野】
【０００１】
本発明は、パチンコ球などの遊技球とメダルなどの円板状体との混合物を導入し、これを遊技球と円板状体とに分離して排出する遊技媒体分離装置に関する。
【背景技術】
【０００２】
遊技球を遊技媒体として使用するパチンコ機などの遊技機と、メダルやコインなどの円板状体を遊技媒体として使用するスロットマシンなどの遊技機とを配設する遊技場では、メダル、コイン、パチンコ球といった様々な種類の遊技媒体が使用される。このため、遊技機島、あるいは計数機、遊技媒体貸機といった設備機器は遊技媒体の種類毎に専用のものが用意される場合が多い。
【０００３】
計数機などを遊技媒体の種類毎に設けると、不経済であるばかりか、設置スペースが嵩むので、特許文献１には、パチンコ球とコインの双方に対応した計数機が提案されている。
【０００４】
この計数機は、パチンコ球は通過させるがコインは通過させない多数の貫通孔が開設されたターンテーブルを回転させておき、ターンテーブル上に導入されたパチンコ球は貫通孔からターンテーブルの下方へ排出してパチンコ球排出口へ導き、ターンテーブル上に導入されたコインは遠心力によってターンテーブルの外周へ移動させると共に、その外周に設けたコインガイド板に沿ってコインコンベアへ導き、該コインコンベアによってコインをコイン排出口へ搬送して排出するようになっている。
【先行技術文献】
【特許文献】
【０００５】
【特許文献１】特開昭６１−２１７１８４号公報
【発明の概要】
【発明が解決しようとする課題】
【０００６】
しかしながら、この計数機では、パチンコ球とコインとを同時にターンテーブル上に導入すると、貫通孔を塞ぐコインの上に載ったパチンコ球や、起立した状態あるいは複数枚重なった状態のコインがコインコンベアの搬送開始地点に到達し、このようなパチンコ球やコインがコインコンベアの搬送開始地点で詰まってしまう場合があるという問題があった。
【０００７】
本発明は、上記の問題に鑑みてなされたものであり、詰まりなどが生じることなく、遊技球と円板状体とを分離して排出することのできる遊技媒体分離装置を提供することを目的とするものである。
【課題を解決するための手段】
【０００８】
かかる目的を達成するための本発明の要旨とするところは、次の各項の発明に存する。
【０００９】
［１］遊技球は通すが所定の円板状体は通さない遊技球排出口（１２ａ）を有する選別板（１２）と、
前記選別板（１２）を傾斜させた状態で前記傾斜に沿って往復運動させる駆動機構（１１、１３、１４、１５、１６、１８、１９、２５、２６、２７）と、
前記遊技球排出口（１２ａ）より前記選別板（１２）の下端側で前記選別板（１２）の表面との間に、前記選別板（１２）上に伏せた前記円板状体は通すが前記遊技球は通さない通過口（３３）を形成する選別部材（３４）と、
前記遊技球排出口（１２ａ）の上方に、前記選別板（１２）の下端側に向かうほど前記選別板（１２）との距離が短くなるように前記選別板（１２）に対して傾斜して配置され、その下端と前記選別板（１２）の表面との距離が前記遊技球の直径よりやや長くなるように固定配置された整列板（３１）と、
を備え、
前記通過口（３３）より前記選別板（１２）の上端側で前記遊技球と前記円板状体との混合物を前記選別板（１２）上に導入し、前記傾斜に沿って往復運動する前記選別板（１２）上を前記混合物が落下する際に、前記遊技球排出口（１２ａ）を通して遊技球を分離し、前記通過口（３３）を通して前記円板状体を分離する
ことを特徴とする遊技媒体分離装置。
【００１０】
上記発明では、選別板（１２）の上端側に遊技球と円板状体との混合物が導入されると、遊技球は傾斜に沿って選別板（１２）上を流下する途中で遊技球排出口（１２ａ）を通じて選別板（１２）の裏面側に排出される。円板状体は、遊技球排出口（１２ａ）に落下することなく遊技球排出口（１２ａ）よりも選別板（１２）の下端側に設けられた通過口（３３）に到達する。この通過口（３３）は、遊技球は通さないが選別板（１２）上に伏せた円板状体は通す形状を成しており、円板状体はこの通過口（３３）を通じて分離排出される。ここで、円板状体が遊技球排出口（１２ａ）を塞ぎ、その円板状体の上に遊技球が載る状態となっても、選別板（１２）の往復運動により遊技球が揺動されて円板状体から落下して遊技球排出口（１２ａ）から排出される。また、選別板（１２）が往復運動しているので、円板状体が起立あるいは複数枚重なったとしても、やがて円板状体の姿勢が崩れて選別板（１２）の板面上に１枚ずつ伏せた状態になるので、通過口（３３）に遊技球や円板状体が詰まることがなく、円滑な分離排出動作が維持される。
【００１１】
また上記発明では、遊技球が整列板（３１）によって遊技球排出口（１２ａ）に向かって押し下げられて効率よく排出される。また整列板（３１）の存在により、整列板（３１）の下方を通り抜けて下流側へ流下する円板状体の数が制限されるので、通過口（３３）の手前に多くの円板状体が集まって通過口（３３）が詰まることが防止され、円板状体は少ない枚数で通過口（３３）を円滑に通過することが可能になる。
【００１２】
［２］前記選別板（１２）の上方に該選別板（１２）の表面から前記円板状体の厚みを超えかつ該厚みと前記遊技球の直径との合計未満の距離を空けて整列シャフト（３６）を配置した
ことを特徴とする［１］に記載の遊技媒体分離装置。
【００１３】
上記発明では、円板状体の上に載った遊技球は整列シャフト（３６）に接触して円板状体の上から落ちる。また、整列シャフト（３６）の存在により、整列シャフト（３６）の下方を通り抜けて下流側へ一度に流下する円板状体の数が制限されるので、通過口（３３）の手前に多くの円板状体が集まって通過口（３３）が詰まることが防止され、円板状体は少ない枚数で通過口（３３）を円滑に通過することが可能になる。
【００１４】
［３］前記通過口（３３）を通して分離された円板状体と、前記遊技球排出口（１２ａ）を通して分離された遊技球との再混合を防止する仕切板（３８）を設けた
ことを特徴とする［１］または［２］に記載の遊技媒体分離装置。
【００１５】
上記発明では、分離した円板状体と遊技球との再混合が防止される。仕切板（３８）は、たとえば、選別板（１２）の裏面側の通過口（３３）と対応する位置に、該選別板（１２）の裏面にほぼ接する位置から下方へ伸びるように設置される。
【発明の効果】
【００１６】
本発明に係る遊技媒体分離装置によれば、詰まりなどが生じることなく、遊技球と円板状体とを分離して排出することができる。
【図面の簡単な説明】
【００１７】
【図１】本発明の実施の形態に係る遊技媒体分離装置を示す平面図である。
【図２】本発明の実施の形態に係る遊技媒体分離装置（選別板が終端位置にある状態）を示す側面図である。
【図３】本発明の実施の形態に係る遊技媒体分離装置（選別板が終端位置にある状態）を示す底面図である。
【図４】本発明の実施の形態に係る遊技媒体分離装置の有する選別板を示す底面図である。
【図５】本発明の実施の形態に係る遊技媒体分離装置（選別板が最上位置にある状態）を示す側面図である。
【図６】本発明の実施の形態に係る遊技媒体分離装置（選別板が最上位置にある状態）を示す底面図である。
【発明を実施するための形態】
【００１８】
以下、図面に基づき本発明の実施の形態を説明する。
【００１９】
図１は本発明の実施の形態にかかわる遊技媒体分離装置１０の平面図を、図２は遊技媒体分離装置１０の側面図を、図３は遊技媒体分離装置１０の底面図をそれぞれ示している。
【００２０】
遊技媒体分離装置１０は、パチンコ球など球形状の遊技媒体である遊技球２と薄い円板状の遊技媒体であるメダルやコインなどの円板状体３との混合物を導入し、遊技球２と円板状体３とを分離して排出する装置である。本例では遊技球２はパチンコ球、円板状体３はスロットマシンで使用されるメダル３である。たとえば、遊技媒体分離装置１０は、遊技球２と円板状体３とを計数する計数機内に設置されるほか、パチンコ機とスロットマシンとを混在して収容する遊技機島内で共通の回収路によって遊技球とメダルとを回収する場合に、遊技球とメダルとに分離するために回収路の終端などに設けられてもよい。
【００２１】
遊技媒体分離装置１０は、傾斜した斜面部１１ａと、この斜面部１１ａを支持する左右の側壁部１１ｂと、斜面部１１ａの幅方向の両端からそれぞれ所定量内側にオフセットした位置に該斜面に沿って立設された側板１１ｃとから成る筐体部１１を備えている。
【００２２】
斜面部１１ａには、左右の側板１１ｃに挟まれた部分のうち斜面の上端近傍および下端近傍を除く領域を占める矩形の開口が形成されている。また、斜面部１１ａの裏面側にほぼ接するようにして、この開口より一回り大きい矩形の選別板１２が斜面部１１ａの傾斜に沿って往復運動可能に取り付けられている。
【００２３】
詳細には、斜面部１１ａの裏面側には、この斜面部１１ａの傾斜に沿って一対のレール１３が斜面部１１ａの幅方向両端に分けて固定されている。レール１３は、斜面部１１ａの裏面の上端および下端に取り付けられたレール固定部材１４によって上下端を支持されて固定されている。選別板１２の裏面の四隅には、レール１３と係合してレール１３に沿ってスライド自在なレール支持部材１５が取り付けてある。選別板１２はレール支持部材１５を介してレール１３に案内されて移動することにより、斜面部１１ａの傾斜に沿った往復運動を行う。斜面部１１ａの表面側に立設された左右の側板１１ｃは、投入された遊技球２および円板状体３を流下させる通路部Ｒの側壁を成しており、選別板１２は該通路部Ｒの底面を成している。
【００２４】
図４は選別板１２の裏面側を示している。選別板１２は、図４に示すように、長方形の平板であり、筐体部１１に傾斜して取り付けられたときの上端側の略３分の２の領域には、遊技球２は通すが円板状体３は通さない遊技球排出口１２ａが多数開設されている。ここでは、各遊技球排出口１２ａは直径が遊技球２の直径より十分大きく、円板状体３の直径よりやや小さい円形穴状を成している。
【００２５】
また、選別板１２の下端側の領域には、円板状体３が通る矩形穴状の円板状体排出口１２ｂが開設されている。円板状体排出口１２ｂは、選別板１２の幅方向には通路部Ｒと対応する部分のほぼ全幅に広がり、選別板１２の長手方向には円板状体３の直径よりやや長い長方形を成している。遊技球排出口１２ａと円板状体排出口１２ｂとの間には穴部のない境界エリア１２ｃ(図中の破線で囲った領域)が設けてある。境界エリア１２ｃの幅ｗ（傾斜方向の長さ）は、選別板１２が傾斜に沿って往復運動する距離より若干大きくなっている。選別板１２下端には幅方向の両端部に剛性の高い衝突部材１６が設けられている。
【００２６】
図３および図６に示すように、斜面部１１ａの下端部の裏面には、選別板１２が傾斜の下方側へ移動可能な終端位置を規制するための規制部材１８が取り付けられている。規制部材１８には、選別板１２の衝突部材１６と対応する位置に剛性の高い衝突受け部材１８ａが設けてある。規制部材１８の衝突受け部材１８ａに選別板１２の衝突部材１６が衝突することによって、選別板１２の終端位置は規制される。
【００２７】
また、図１、図２に示すように、選別板１２を傾斜の下り方向の終端位置へ向けて付勢する付勢部材としての引きバネ１９が、その一端を斜面部１１ａの下端部に係止させ、他端を選別板１２の下端部表面の取付部材２１に係止させて掛け渡されている。付勢部材は、バネやゴムなどの弾性体で構成されてもよいし、重力を利用して選別板１２を下方へ付勢する錘や圧縮空気の膨張力などを利用したものであってもかまわない。
【００２８】
斜面部１１ａの下端部の表面側には、モータ２５が、その回転軸２５ａを斜面部１１ａの裏面側へ突出させて固定されており、この回転軸２５ａの先端には略三日月型を成したカム２６が取り付けられている。
【００２９】
選別板１２の下端部の裏面には、このカム２６に当接させる円板状の当接部材２７が突設されている。カム２６は、モータ２５によって図３の矢印Ａの方向に回転される。カム２６は矢印Ａ方向への回転中に当接部材２７に当接して選別板１２を傾斜の上り方向へ移動させ、その後、上りの頂点を過ぎたところで当接部材２７から離隔し、引きバネ１９に付勢された選別板１２が少なくとも終端位置に戻るまで当接部材２７と非接触になる形状を成している。
【００３０】
図２および図３は、選別板１２が終端位置にある場合の遊技媒体分離装置１０を示しており、図５および図６は選別板１２がカム２６に押し上げられて最も上方に移動した最上位置にある場合の遊技媒体分離装置１０を示している。
【００３１】
選別板１２の遊技球排出口１２ａの存する領域の上方には、選別板１２の下端側に向かうほど選別板１２との距離が短くなるように選別板１２に対して傾斜した整列板３１がその左右の両端を側板１１ｃに支持されて設けられている。整列板３１は、左右の側板１１ｃで挟まれた通路部Ｒの全幅に渡って設けられている。整列板３１はその下端と選別板１２の表面との距離が遊技球２の直径よりやや長くなるように取り付けられている。
【００３２】
遊技球２および円板状体３の混合物は、整列板３１より上流側の通路部Ｒへ投入される。遊技球２は通路部Ｒを流下する途中で選別板１２に設けられた遊技球排出口１２ａから選別板１２の裏面側へと落下する。
【００３３】
さらに、選別部材３４は、遊技球排出口１２ａより選別板１２の下端側において選別板１２の表面との間に、選別板１２上に伏せた円板状体３は通すが遊技球２は通さない通過口３３を形成している。より詳細には、通過口３３は、選別板１２が斜面部１１ａの傾斜に沿って終端位置と最上位置との間で往復運動しても該通過口３３が境界エリア１２ｃ上から外れない位置に設けられている。また、通過口３３の幅は通路部Ｒの全幅に渡り、通過口３３の高さは円板状体３の厚みよりやや大きく設定してある。
【００３４】
整列板３１の下を通り抜けて通路部Ｒを流下してきた遊技球２は通過口３３を通過できないが、円板状体３は通過口３３を通ってさらに傾斜の下流側へと進み、円板状体排出口１２ｂから選別板１２の裏面側へと落下する。
【００３５】
整列板３１と通過口３３との間には、選別板１２の表面からの距離が円板状体３の厚みより大きくかつ該厚みと遊技球２の直径との合計未満となるようにして円柱状の整列シャフト３６が選別板１２の幅方向全体に掛け渡すようにして選別板１２と平行に取り付けられている。なお、ここでは、整列シャフト３６と選別板１２の表面との距離は、円板状体３の厚みより大きくかつ遊技球２の直径未満に設定してある。
【００３６】
選別板１２の裏面側の通過口３３と対応する位置には、該選別板１２の裏面にほぼ接する位置から鉛直下方に伸びる仕切板３８が、左右の側壁部１１ｂ間の全幅に渡って設けられている。仕切板３８は、選別板１２の裏面側の空間を遊技球排出口１２ａの下方側の遊技球排出経路４１と、円板状体排出口１２ｂの下方側の円板状体排出経路４２とに仕切るものであり、遊技球排出口１２ａを通じて選別板１２の裏面側に落下した遊技球２と円板状体排出口１２ｂを通じて選別板１２の裏面側に落下した円板状体３とが再び混合することを防止する役割を果たす。この例では仕切板３８は鉛直に設置したが、これに限定されず、たとえば斜めに設置されてもよく、仕切板３８は、通過口３３を通して分離された円板状体３と遊技球排出口１２ａを通して分離された遊技球２との再混合を防止するように遊技球排出経路４１と円板状体排出経路４２とを形成するものであればよい。
【００３７】
次に、遊技媒体分離装置１０の動作および作用を説明する。
【００３８】
遊技媒体は、遊技球２と円板状体３とが混合した状態で整列板３１より上流側の通路部Ｒに、たとえば、図２の矢印Ｂで示す方向から投入される。なお、遊技球２と円板状体３とは個別に投入されてもよいし、混合された状態で投入されてもよい。
【００３９】
モータ２５の作動によりカム２６が図３の矢印Ａ方向に回転すると、選別板１２は、カム２６に押し上げられて図５、図６に示す最上位置へと移動する。その後、カム２６が当接部材２７から外れると、選別板１２は引きバネ１９に付勢されて図２、図３に示す終端位置へと一気に移動する。終端位置に到達したとき、選別板１２側の衝突部材１６と規制部材１８側の衝突受け部材１８ａとが衝突して選別板１２の下方への移動が急停止する。そして、カム２６がさらに回転すると、再び終端位置から最上位置に向けて選別板１２は押し上げられる。このような選別板１２の往復運動は、たとえば、１秒に１回〜４回ほどの周期で繰り返し行われる。
【００４０】
投入された遊技球２と円板状体３との混合物は、上記のように往復運動する選別板１２の表面上を選別板１２の下端側に向かって流下する。その途中で遊技球２は遊技球排出口１２ａから選別板１２の裏面側へと落下し、仕切板３８で仕切られた遊技球排出経路４１を通じて外部へ排出される。ここで、遊技球２は遊技球排出口１２ａに向かって押下げられる力を整列板３１から受けるので、遊技球排出口１２ａを通じて選別板１２の裏面側へ効率よく排出される。遊技球２の一部は整列板３１の下端と選別板１２の表面との間を通りぬけて通路部Ｒの下流側へ進行するが、通過口３３を通ることはできず、やがて整列板３１と通過口３３との間の領域において遊技球排出口１２ａから選別板１２の裏面側へと落下し、遊技球排出経路４１を通って外部へ排出される。
【００４１】
円板状体３は、整列板３１の下端と選別板１２の表面との間を通り抜けて通路部Ｒの下流側へ向かうが、整列板３１の存在により、整列板３１の下方を通り抜けて下流側へ一度に流下する円板状体３の数は制限される。このため、通過口３３の手前に多くの円板状体３が到来して通過口３３が詰まることが防止される。
【００４２】
整列板３１と通過口３３との間の領域では、円板状体３の上に遊技球２が載った場合でも、かかる遊技球２は、選別板１２の往復運動によって円板状体３から落下する。あるいは、往復運動に応じて整列シャフト３６に接触することで円板状体３の上から落下させられる。また、整列シャフト３６と選別板１２の表面との距離を、円板状体３の厚みより大きくかつ遊技球２の直径未満に設定してあるので、整列シャフト３６は整列板３１と同様に遊技球２を遊技球排出口１２ａに向けて押し下げる作用を果たし、遊技球２の遊技球排出口１２ａからの排出を促進する。さらに、整列板３１と同様に、通過口３３に向かう円板状体３の数を制限する機能も果たし、通過口３３での円板状体３の詰まりが防止される。
【００４３】
通路部Ｒを流下してきた円板状体３は通過口３３を通過した後、円板状体排出口１２ｂから選別板１２の裏面側へ落下し、円板状体排出経路４２を通じて外部へ排出される。遊技球排出口１２ａから選別板１２の裏面側に落下した遊技球２と円板状体排出口１２ｂから選別板１２の裏面側に落下した円板状体３は、仕切板３８の存在により再混合が防止される。
【００４４】
また、遊技媒体分離装置１０では、選別板１２がその傾斜に沿って往復運動しているので、たとえば、遊技球排出口１２ａを塞いだ円板状体３の上に載った遊技球２は揺動されて円板状体３の上から落下する。また円板状体３が起立、あるいは複数枚重なったとしても、上記の往復運動によって円板状体３の姿勢が崩れて、選別板１２の板面上に１枚ずつ伏せた状態になるので、通過口３３で遊技球２や円板状体３が詰まらないようにすることができる。
【００４５】
特に、引きバネ１９に付勢されて終端位置に移動する選別板１２は、規制部材１８側の衝突受け部材１８ａと選別板１２側の衝突部材１６との衝突、すなわち、剛体と剛体との衝突によって終端位置で急停止するので、その衝撃で円板状体３の姿勢が崩れて選別板１２の板面上に１枚ずつ伏せた状態になりやすくなり、より一層通過口３３で円板状体３が詰まらないようにすることができる。なお、傾斜に沿って往復運動させるので、他の方向、たとえば、斜面の幅方向に往復移動させる場合に比べて、傾斜による自然落下と往復運動による強制運動との相乗効果を得やすくなり、起立や複数枚重なっている円板状体の姿勢をより効果的に崩して１枚ずつ伏せた状態にすることができる。
【００４６】
また、モータ２５で回転されるカム２６を用いて選別板１２を往復運動させるようにしたので、簡単な駆動機構で選別板１２を往復運動させることができ、遊技媒体分離装置１０の構成が簡略化されると共に、高い耐久性が得られる。
【００４７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００４８】
たとえば、整列板３１や整列シャフト３６は、遊技球２の遊技球排出口１２ａからの排出の促進や通過口３３へ向かう円板状体３の数を制限する役割を果たすので取り付けることが好ましいが、整列シャフト３６は取り付けない構成としてもよい。
【００４９】
選別板１２を傾斜に沿って往復運動させる駆動機構として、最上位置でカム２６が当接部材２７から離脱し、引きバネ１９によって一気に終端位置まで移動して衝突する構成を例示したが、最上位置から終端位置についてもカムによって位置規制されながら移動するように構成されてもよい。このほか、モータ２５による円運動を選別板１２の往復運動に変換するリンク機構などにより駆動機構を構成してもよい。この場合、選別板１２側の衝突部材１６と規制部材１８側の衝突受け部材１８ａを設けないで、これらを衝突させるような構造にしなくてもよい。
【００５０】
また、選別板１２に開設された遊技球排出口１２ａの円板状体排出口１２ｂの形状や数などは実施の形態で例示したものに限定されない。さらに、選別板１２に円板状体排出口１２ｂを設けることなく、通過口３３より傾斜の下方にて選別板１２の下端から円板状体３を円板状体排出経路４２へ落下させるように構成してもよい。この場合、選別板１２を往復運動させるためのカム２６やモータ２５などを選別板１２の上端側に設けるなどすればよい。
【符号の説明】
【００５１】
２…遊技球
３…円板状体（メダル）
１０…遊技媒体分離装置
１１…筐体部
１１ａ…斜面部
１１ｂ…側壁部
１１ｃ…側板
１２…選別板
１２ａ…遊技球排出口
１２ｂ…円板状体排出口
１２ｃ…境界エリア
１３…レール
１４…レール固定部材
１５…レール支持部材
１６…衝突部材
１８…規制部材
１８ａ…衝突受け部材
１９…引きバネ
２１…取付部材
２５…モータ
２５ａ…回転軸
２６…カム
２７…当接部材
３１…整列板
３３…通過口
３４…選別部材
３６…整列シャフト
３８…仕切板
４１…遊技球排出経路
４２…円板状体排出経路
Ｒ…通路部
【図１】
2011136216.tif 000003
【図２】
2011136216.tif 000004
【図３】
2011136216.tif 000005
【図４】
2011136216.tif 000006
【図５】
2011136216.tif 000007
【図６】
2011136216.tif 000008